(57)【特許請求の範囲】
【請求項１】
屈曲自在な拘束体の両端に形成された被係止部が挿入される連結孔を備えたケースと、
所定の解錠キーによってのみ施錠回転位置から解錠回転位置まで回転操作可能にケース内に収容されるプラグと、
前記連結孔内に進退して連結孔内に挿入された前記被係止部に係脱するロック片とを有し、
前記ロック片は、係止解除位置側への移動が許容され、プラグの解錠回転位置側への回転操作により適宜の付勢手段により付与された係止位置側への付勢力に抗して係止解除位置側に駆動されて連結孔の長手方向に直交する方向から連結孔内に進退するとともに、
該ロック片は、プラグの解錠回転位置への移動に伴って、係脱位置の中間位置まで駆動され、
かつ、ロック片の解錠回転位置における連結孔への突出部には、被係止部への抜去操作力から係止解除方向への操作分力を得るストッパ斜面が設けられる錠装置。
【請求項２】
前記連結孔はプラグの回転中心に対してほぼ対称位置に形成されるとともに、各連結孔にロック片が配置され、
かつ、前記プラグには施錠回転位置から時計、反時計回りに回転操作した一対の解錠回転位置が設定されるとともに、前記プラグの解錠回転位置に至る回転方向側に配置された一方のロック片のみが当該解錠回転位置への移動に伴って係止解除位置側に駆動される請求項１記載の錠装置。
【請求項３】
前記プラグにはロック片に設けられたフォロワー突部が離接自在に当接し、プラグの解錠方向への回転に伴ってロック片を係止解除方向に変位させるカム面が各ロック片に対応して一対設けられる請求項２記載の錠装置。
【請求項４】
前記ロック片の係止位置における連結孔への突出部には、被係止部の連結孔への挿入操作力から係止解除方向への操作分力を得るガイド斜面が設けられる１、２または３記載の錠装置。
【発明の詳細な説明】
【技術分野】
【０００１】
本発明は錠装置に関するものである。
【背景技術】
【０００２】
連結孔にケーブル（拘束体）を連結可能とした錠装置としては、特許文献１の図３に記載のものが知られている。この従来例において、プラグにはプラグの回転中心に対して非対称形状の凹部を有するカムが形成されており、該カムと連結孔との間に端子固定ロッドが介装される。
【０００３】
プラグを所定回転位置まで回転させると、カムの凹部が端子固定ロッドの端部に位置し、端子固定ロッドの連結孔からの待避スペースが確保され、連結されていた拘束体を抜去できる。
【先行技術文献】
【特許文献】
【０００４】
【特許文献１】特開２００６-６３７７６号公報
【発明の概要】
【発明が解決しようとする課題】
【０００５】
しかし、上述した従来例において、プラグを施錠回転位置から解錠位置まで回転操作すると直ちに拘束体が脱離可能になるために、拘束体が重い場合等には不用意に拘束体が外れて落下してしまうことがあり、使い勝手が悪いという問題がある。
【０００６】
本発明は、以上の欠点を解消すべくなされたものであって、使い勝手を向上させた錠装置の提供を目的とする。
【課題を解決するための手段】
【０００７】
本発明によれば上記目的は、
屈曲自在な拘束体１の両端に形成された被係止部２が挿入される連結孔３を備えたケース４と、
所定の解錠キー５によってのみ施錠回転位置から解錠回転位置まで回転操作可能にケース４内に収容されるプラグ６と、
前記連結孔３内に進退して連結孔３内に挿入された前記被係止部２に係脱するロック片７とを有し、
前記ロック片７は、係止解除位置側への移動が許容され、プラグ６の解錠回転位置側への回転操作により適宜の付勢手段８により付与された係止位置側への付勢力に抗して係止解除位置側に駆動されて連結孔３の長手方向に直交する方向から連結孔３内に進退するとともに、
該ロック片７は、プラグ６の解錠回転位置への移動に伴って、係脱位置の中間位置まで駆動され、
かつ、ロック片７の解錠回転位置における連結孔３への突出部には、被係止部２への抜去操作力から係止解除方向への操作分力を得るストッパ斜面９が設けられる錠装置を提供することにより達成される。
【０００８】
ケース４には拘束体１の被係止部２が挿入する連結孔３が開設されており、該連結孔３に直交する方向から連結孔３に進退するようにロック片７が配置される。ロック片７は係止位置と係止解除位置との間を移動自在で、係止位置において連結孔３に挿入される拘束体１の被係止部２に係止して拘束体１の離脱を規制する。係止状態で被係止部２に抜去方向の力を負荷しても、連結孔３の長手方向に直交する方向から楔状に係止しているロック片７には抜去方向への分力が発生しないために連結状態が保持される。
【０００９】
ロック片７は適宜の付勢力により係止位置側に付勢されており、さらに、プラグ６への回転操作力は、プラグ６を施錠回転位置から回転させた場合にのみロック片７に係止解除方向の操作力が伝達され、ロック片７側に係止解除方向への操作力を負荷した場合、プラグ６はロック片７の係止解除方向への移動を規制しない。
【００１０】
このようなプラグ６のロック片７への操作力伝達が係止解除方向の操作に対してのみ可能で、ロック片７側からの係止解除動作を妨げない一方向の伝達機構は、後述するように、プラグ６にカム面１１を形成したり、あるいはプラグ６とロック片７との間に適宜の操作力伝達機構を配置することにより実現できる。
【００１１】
ロック片７は、プラグ６に対する施錠回転位置から解錠回転位置までの回転操作によって係止解除位置まで駆動されることなく中間位置（暫定停止位置）で停止し、さらに、停止時において連結孔３内に突出する部分には被係止部２への抜去操作力から係止解除方向への操作分力を得るストッパ斜面９が設けられる。
【００１２】
したがって本発明において、プラグ６を解錠回転位置まで回転操作しても、ロック片７は係止解除位置まで移動せずに被係止部２を拘束し続け、施錠体を抜去するためには、改めて施錠体に抜去方向の力を負荷してロック片７を係止解除位置まで移動させる必要がある。この結果、プラグ６への操作により施錠体が不用意にケース４から離脱することがなくなり、使い勝手が向上する。
【００１３】
また、
前記連結孔３はプラグ６の回転中心に対してほぼ対称位置に形成されるとともに、各連結孔３にロック片７が配置され、
かつ、前記プラグ６には施錠回転位置から時計、反時計回りに回転操作した一対の解錠回転位置が設定されるとともに、前記プラグ６の解錠回転位置に至る回転方向側に配置された一方のロック片７のみが当該解錠回転位置への移動に伴って係止解除位置側に駆動される錠装置を構成すると、拘束体１の両端を着脱できるために、ケース４と拘束体１を完全に分離させることが可能になる上に、プラグ６の 回転方向と拘束体１の離脱させる側の端部を簡単に関連付けることができるために、使い勝手が向上する。
【００１４】
さらに、錠装置は、
前記プラグ６にはロック片７に設けられたフォロワー突部１０が離接自在に当接し、プラグ６の解錠方向への回転に伴ってロック片７を係止解除方向に変位させるカム面１１が各ロック片７に対応して一対設けて構成することができる。
【００１５】
本発明において、カム面１１とフォロワー突部１０とは、離接自在で、プラグ６を解錠方向に回転させたときにカム面１１がフォロワー突部１０に当接する関係で配置されるとともに、ロック片７にはフォロワー突部１０がカム面１１に圧接する方向の付勢力が付与される。
【００１６】
カム面１１を介してロック片７を直接プラグ６により操作する本発明において、プラグ６とロック片７との間に特別な介在機構を要しないために、構造が簡単になる。
【００１７】
また、
前記ロック片７の係止位置における連結孔３への突出部には、被係止部２の連結孔３への挿入操作力から係止解除方向への操作分力を得るガイド斜面１２が設けられる錠装置を構成すると、プラグ６を操作することなく施錠状態で被係止部２を連結孔３に押し込むだけで拘束体１を連結することができるために、操作性が向上する。
【発明の効果】
【００１８】
本発明によれば、使い勝手を向上させることができる。
【図面の簡単な説明】
【００１９】
【図１】拘束体を示す図で、（ａ）は錠装置により拘束体をループ状に連結した状態を示す平面図、（ｂ）は拘束体を折り畳んだ状態を示す平面図、（ｃ）は（ｂ）の正面図である。
【図２】錠装置を示す図で、（ａ）は断面図、（ｂ）は（ａ）の２Ｂ方向矢視図である。
【図３】カム部材を示す図で、（ａ）は下方から見た図、（ｂ）は（ａ）の３Ｂ方向矢視図、（ｃ）は（ａ）の３Ｃ方向矢視図である。
【図４】解錠動作を示すで、（ａ）は図５（ａ）の要部拡大図、（ｂ）は図５（ｂ）の要部拡大図である。
【図５】解錠動作を示す断面図で、（ａ）は右側のロック片が暫定停止位置まで移動した状態を示す図、（ｂ）は（ａ）の状態から被係止部を抜去操作した状態を示す図である。
【図６】本発明の他の実施の形態を示す図で、（ａ）は断面図、（ｂ）は（ａ）の６Ｂ-６Ｂ線断面図、（ｃ）はプラグを解錠回転位置まで回転操作した状態の（ａ）の６Ｂ-６Ｂ線断面図である。
【図７】ロック片の動作を示す図で、（ａ）は円柱部を挿入した状態における図６（ａ）の７Ａ-７Ａ線断面図、（ｂ）はプラグを解錠回転位置まで回転操作した状態を示す図、（ｃ）は図７（ａ）の７Ｃ-７Ｃ線断面図、（ｄ）は図７（ａ）の７Ｄ-７Ｄ線断面図である。
【図８】円柱部の抜去状態を示す図で、（ａ）は図７（ａ）に対応する図、（ｂ）は図７（ｃ）に対応する図である。
【図９】プラグを反時計回りに回転させた状態を示す図で、（ａ）は図６（ｃ）に対応する図、（ｂ）は図７（ａ）に対応する図である。
【発明を実施するための形態】
【００２０】
図１に示すように、錠装置は、屈曲自在な拘束体１の両端を連結して該拘束体１を閉ループ状態とすることにより施錠対象を拘束する所謂ワイヤ錠として使用される。本例における拘束体１は、焼入鋼等により形成された芯材の表面を合成樹脂材により被覆して形成したアーム１ａを水平回転自在に連結して形成され、図１（ｂ）、（ｃ）に示すように、不使用時には折り畳んで保管することができる。
【００２１】
また、上記拘束体１の両端に配置されるアーム１ａの先端には円柱部１ｂが形成され、該円柱部１ｂに直交して凹溝を切り込むことによって被係止部２が形成される。
【００２２】
図２に示すように、錠装置は、上記拘束体１の被係止部２が挿入される連結孔３を備えたほぼ直方体形状をなすケース４と、ケース４内に収容されるプラグ６、およびロック片７とを有する。
【００２３】
プラグ６は軸長方向をケース４の長手方向に一致させてケース４の中心部に配置され、ケース４の一端面に露出するキー差し込み口６ａから挿入される真正な解錠キー５によってのみ施錠回転位置から解錠回転位置まで回転操作することができる（以下、本明細書において、プラグ６のキー差し込み口６ａが配置される側を「下」として位置関係を説明する。）。本例において、プラグ６の解錠回転位置は、施錠回転位置から時計、反時計両方向に９０°回転させた位置に各々設定される。
【００２４】
連結孔３は、上記拘束体１の円柱部１ｂが挿入可能で，軸長方向がプラグ６の回転中心に直交する円形断面孔として形成され、プラグ６の回転中心に対して対称位置に一対形成される。
【００２５】
ロック片７は、上下方向に並進移動して上記連結孔３に直交方向から進退する矩形横断面形状を有するブロック状部材であり、圧縮スプリング（付勢手段８）により連結孔３への突出方向（上方向）に付勢される。このロック片７は鉛直面からなる係止面７ａと、係止面７ａと反対面の上端部を面取状に切り落として形成されるガイド斜面１２とを有し、係止面７ａを対峙させた状態で各連結孔３に対応して配置される。
【００２６】
後述するように、ロック片７はカム面１１により図４（ａ）において左側に示ように上記連結孔３内に突出して上記拘束体１の被係止部２に係止する係止位置と、図４（ａ）の右側に示すように、上端がやや連結孔３内に突出する暫定停止位置との間で駆動され、上記ガイド斜面１２は、係止位置における連結孔３内への突出部のほぼ全域を斜めに切り落とした形状に形成される。また、係止面７ａの上端には暫定停止位置における連結孔３内への突出部を斜めに切り落とした形状のストッパ斜面９が設けられるとともに、係止面７ａの下端には上述した圧縮スプリング８の付勢力により後述するカム面１１に圧接されるフォロワー突部１０が突設される。
【００２７】
上記ロック片７を圧縮スプリング８の付勢力に抗して所定位置に移動させるために、カム面１１が形成される。本例において、カム面１１は汎用のプラグ６を使用するために、プラグ６後端に連結されるアタッチメント１３を介してプラグ６に連結されるカム部材１４に形成されるが、プラグ６に一体に形成することもできる。
【００２８】
図３に示すように、カム部材１４は、中心部に開設される角孔１４ａをプラグ６の軸部に外嵌してプラグ６に空転不能に嵌合、連結され、該カム部材１４の周縁部下面に凹凸を形成することにより上記カム面１１が形成される。カム面１１は低背部１１ａ、高背部１１ｂ、および低背部１１ａと高背部１１ｂとを接続する斜面部１１ｃとから構成され、図３（ａ）に示すように、プラグ６が施錠回転位置にあるときに各ロック片７のフォロワー突部１０は低背部１１ａに対応し、時計回り、あるいは反時計回りに９０°回転して解錠回転位置まで移動した際には、いずれか一方のロック片７のフォロワー突部１０が高背部１１ｂに対応し、他方は低背部１１ａに留まるように配置される。
【００２９】
したがってこの実施の形態において、プラグ６が施錠回転位置、すなわち、解錠キー５が抜去された状態においては、フォロワー突部１０はカム面１１の低背部１１ａに対応しており、圧縮スプリング８によりカム面１１に押し付けられる。低背部１１ａはロック片７が係止位置まで突出する高さに設定されており、この状態で図２（ａ）の右側に示すように、拘束体１の円柱部１ｂを連結孔３に押し込むと、まず、円柱部１ｂがガイド斜面１２に当接し、さらに押し込み操作を続けると、ガイド斜面１２にはロック片７を下方に押し付ける分力が発生する。
【００３０】
一方、カム面１１は、ロック片７を上方に引き上げる力のみを付与し、ロック片７の下方への移動は何等規制されないために、ロック片７は上記分力により下方に移動して円柱体をかわした後、被係止部２に合致すると、圧縮スプリング８の反力により被係止部２に係止し、図２（ａ）の左側に示す係止状態となる。  
【００３１】
係止状態において、円柱部１ｂに抜去操作力を負荷しても、係止面７ａと被係止部２の壁面とは引き抜き方向に対して直交する面で接触しているために、ロック片７には下方への分力は発生せず、係止状態が維持される。
【００３２】
以上の施錠回転位置からプラグ６を時計回りに解錠回転位置まで回転操作すると、右側のロック片７のフォロワー突部１０が斜面部１１ｃを経由して高背部１１ｂに乗り上げ、他方のフォロワー突部１０は低背部１１ａに留まる。高背部１１ｂはロック片７が暫定停止位置となる寸法に設定されており、図４（ａ）、図５（ａ）に示すように、右側のロック片７のみが暫定停止位置に移動するのに対し、左側のロック片７は依然係止位置に留まって円柱体１ｂの抜去が規制される。
【００３３】
一方、暫定停止位置において、ロック片７の被係止部２への係止状態は維持されているために、拘束体１の自重等によって円柱部１ｂが直ちに抜去されることはない。また、暫定停止位置において被係止部２はストッパ斜面９に対峙しているため、この状態から円柱部１ｂに所定の抜去操作力を付与すると、ストッパ斜面９に下方への分力が発生し、図４（ｂ）、図５（ｂ）に示すように、抜去操作が可能になる。
【００３４】
以上において、プラグ６を施錠回転位置から時計回り，すなわち右方向に回転させて回転方向に一致する右側のロック片７を暫定停止位置に駆動する場合を示したが、プラグ６を反時計回り、すなわち左方向に回転させた場合には、回転方向に一致する左側のロック片７のみが暫定停止位置に移動し、右側のロック片７は係止位置に留まる。
【００３５】
なお、以上においては、プラグ６を施錠回転位置から時計、反時計回りに回転して各々の解錠回転位置まで操作した際、回転方向に一致するロック片７のみを暫定停止位置に移動させるように構成した場合を示したが、カム面１１を適宜変更することにより、例えば、プラグ６を時計、あるいは反時計いずれか一方向にのみ回転操作可能とし、解錠側終端位置で双方のロック片７を暫定停止位置に移動させるようにすることができる。
【００３６】
図６以下に本発明の他の実施の形態を示す。なお、本実施の形態の説明において、上述した実施の形態と実質的に同一の構成要素は図中に同一符号を付して説明を省略する。
【００３７】
この実施の形態は、ロック片７を連結孔３の軸長方向に沿って配置される枢軸１５周りに揺動自在なレバー状部材として形成した場合を示すもので、ロック片７は、枢軸１５を挟んで一端に進退部７ｂを、他端にフォロワー突部１０を有し、揺動動作に伴って進退部７ｂが上記連結孔３に直交方向から進退する。図６、７に示すように、ロック片７には圧縮スプリング８によって、進退部７ｂが連結孔３内に突出する方向の付勢力が付与される。
【００３８】
また、上記進退部７ｂには、連結孔３の軸長方向に直交する鉛直面からなる係止面７ａと、係止面７ａと反対側壁面の上端部を面取状に切り落として形成されるガイド斜面１２とが形成され、係止面７ａを対峙させた状態で各連結孔３に対応して配置される。
【００３９】
後述するように、ロック片７はカム面１１により図７（ａ）に示ように上記連結孔３内に突出して上記拘束体１の被係止部２に係止する係止位置と、図７（ｂ）に示すように、上端がやや連結孔３内に突出する暫定停止位置との間で駆動され、上記ガイド斜面１２は、図７（ａ）の右側に示すように、係止位置において円柱部１ｂの先端に形成したテーパ面１６に面接触するように形成される。
【００４０】
また、係止面７ａの上端には暫定停止位置における連結孔３内への突出部を面取状に斜めに切り落とした形状のストッパ斜面９が設けられる。
【００４１】
図６に示すように、上記フォロワー突部１０は、中心方向に向けて突設され、上述した圧縮スプリング８による付勢力によりカム面１１に圧接される。カム面１１は、プラグ６に連結されるカム部材１４に突設され、回転中心に図心が一致する板状の押圧プレート１７の一面に形成され、各ロック片７のフォロワー突部１０は、プラグ６の回転中心に対して線対称位置を占めるように、カム面１１上に並んで配置される。
【００４２】
したがってこの実施の形態において、プラグ６が施錠回転位置、すなわち、解錠キー５が抜去された状態においては、押圧プレート１７は図６（ｂ）に示すように、連結孔３に平行な水平姿勢に保持され、双方のロック片７のフォロワー突部１０は圧縮スプリング８によりカム面１１に押し付けられる。カム面１１は水平姿勢においてロック片７が係止位置まで突出する高さに設定されており、この状態で図７（ａ）の右側に示すように、拘束体１の円柱部１ｂを連結孔３に押し込むと、まず、円柱部１ｂのテーパ面１６がガイド斜面１２に当接し、さらに押し込み操作を続けると、ガイド斜面１２にはロック片７を下方に押し付ける分力が発生する。
【００４３】
一方、カム面１１は、ロック片７を係止位置側に移動させる力のみを付与し、反対方向への移動は何等規制されないために、ロック片７は上記分力により係止解除方向に移動して円柱部１ｂをかわした後、被係止部２に合致すると、圧縮スプリング８の反力により被係止部２に係止し、図７（ａ）の左側に示す係止状態となる。
【００４４】
係止状態において、円柱部１ｂに抜去操作力を負荷しても、係止面７ａと被係止部２の壁面とは引き抜き方向に対して直交する面で接触しているために、ロック片７には係止解除方向への分力は発生せず、係止状態が維持される。
【００４５】
以上の施錠回転位置から、図６（ｃ）に示すように、プラグ６を時計回りに解錠回転位置まで回転操作すると、右側のロック片７のフォロワー突部１０がカム面１１により押されて該ロック片７が枢軸周りに回転する。ロック片７の回転により、該ロック片７のカム面１１の側縁はプラグ６の回転ストローク終端において進退部７ｂが暫定停止位置となる寸法に設定されており、図７（ｂ）、（ｄ）に示すように、右側のロック片７のみが暫定停止位置に移動し、左側のロック片７は依然係止位置に留まって円柱体の抜去が規制される。
【００４６】
暫定停止位置において、ロック片７の被係止部２への係止状態は維持されているために、拘束体１の自重等によって円柱部１ｂが直ちに抜去されることはない。また、暫定停止位置において被係止部２はストッパ斜面９に対峙しているため、この状態から円柱部１ｂに所定の抜去操作力を付与すると、ストッパ斜面９には図７（ｂ）において上方への分力、すなわち、ロック片７を係止解除方向に回転させる分力が発生し、図８（ａ）、（ｂ）に示すように、抜去操作が可能になる。
【００４７】
以上において、プラグ６を施錠回転位置から時計回り，すなわち右方向に回転させて回転方向に一致する右側のロック片７を暫定停止位置に駆動する場合を示したが、プラグ６を反時計回り、すなわち左方向に回転させた場合には、図９に示すように、回転方向に一致する左側のロック片７のみが暫定停止位置に移動し、右側のロック片７は係止位置に留まる。
【符号の説明】
【００４８】
１        拘束体
２        被係止部
３        連結孔
４        ケース
５        解錠キー
６        プラグ
７        ロック片
８        付勢手段
９        ストッパ斜面
１０      フォロワー突部
１１      カム面
１２      ガイド斜面
【図１】
0005959864.tif 000002
【図２】
0005959864.tif 000003
【図３】
0005959864.tif 000004
【図４】
0005959864.tif 000005
【図５】
0005959864.tif 000006
【図６】
0005959864.tif 000007
【図７】
0005959864.tif 000008
【図８】
0005959864.tif 000009
【図９】
0005959864.tif 000010